(57)【特許請求の範囲】
【請求項１】
記録媒体上にインクを吐出する記録ヘッドと、
前記記録ヘッドによる画像形成位置へ前記記録媒体を搬送する搬送部と、
前記記録媒体に負圧を印加する負圧印加部と
を備え、
前記搬送部は、前記記録媒体が載置される無端ベルトと、前記無端ベルトを支持する搬送板とを備え、
前記搬送板は、複数の貫通孔と、前記貫通孔の前記無端ベルト側に、前記記録媒体の搬送方向に沿って伸びた溝とを備え、
少なくとも前記記録ヘッドの下方の前記搬送板には、フィルターが、前記溝内に前記搬送板の厚み方向と垂直な面に対して略平行に配置されており、
前記フィルターは、前記インクを遮断すると共に、空気を通過させ、
前記記録ヘッドに対して前記記録媒体の搬送方向上流側において、前記搬送部における前記記録媒体の載置面との間で、狭隙空間を形成する空間形成部を備え、
前記狭隙空間は、前記狭隙空間の周囲の空間から前記狭隙空間に流入する空気流の速度を、前記狭隙空間に流入する前より、前記狭隙空間に流入した後の方が大きくするように、前記載置面に直交する方向の距離が設定されている、インクジェット記録装置。
【請求項２】
前記空間形成部は、前記搬送部における前記記録媒体の載置面と対向し、前記記録媒体の載置面と略平行な平面を有する板状部材を備える、請求項１に記載のインクジェット記録装置。
【請求項３】
前記フィルターは、前記狭隙空間の下方の前記搬送板に、前記溝内に前記搬送板の厚み方向と垂直な面に対して略平行に配置されている、請求項１又は請求項２に記載のインクジェット記録装置。
【請求項４】
前記フィルターは、前記搬送板から取り外し可能に配置されている、請求項３に記載のインクジェット記録装置。
【請求項５】
前記搬送板は、前記フィルターが着脱自在に装着される収納空間を備え、
前記収納空間は、前記搬送板の厚み方向と垂直な面に対して略平行に形成されている、請求項４に記載のインクジェット記録装置。
【請求項６】
前記収納空間は、前記搬送板の幅方向の一方側端面に開口が形成されている、請求項５に記載のインクジェット記録装置。
【請求項７】
前記記録ヘッドの下方の前記搬送板に配置されたフィルターと、前記狭隙空間の下方の前記搬送板に配置されたフィルターとは、別々に、前記搬送板から取り外し可能に配置されている、請求項４から請求項６のいずれか１項に記載のインクジェット記録装置。
【請求項８】
前記フィルターは、平板状に成形された不織布と、
前記不織布の周囲に配置された枠体と
を備える、請求項４から請求項７のいずれか１項に記載のインクジェット記録装置。
【発明の詳細な説明】
【技術分野】
【０００１】
本発明は、インクジェット記録装置に関する。
【背景技術】
【０００２】
従来、記録媒体上にインクを吐出するインクジェット記録装置において、記録ヘッドのノズル詰まりの発生を抑制するために、紙粉を除去する技術が知られている。
【０００３】
例えば、上記記録ヘッドに対して記録媒体の搬送方向上流側に紙粉収集部材を配置するインクジェット記録装置が開示されている（特許文献１参照）。上記紙粉収集部材は、垂直壁と下流側壁とを備えている。上記垂直壁は、垂直上向きに立ち上がっている。上記下流側壁は、上記垂直壁の上端から記録媒体の搬送方向下流側に向けて延びる。
【０００４】
特許文献１には、記録媒体の搬送に伴って発生した紙粉は、上記記録ヘッドに到達する前に上記紙粉収集部材によって収集されるため、上記記録ヘッドに付着する紙粉の量を減少することができると記載されている。
【先行技術文献】
【特許文献】
【０００５】
【特許文献１】特開２００８−２１３２５５号公報
【発明の概要】
【発明が解決しようとする課題】
【０００６】
しかしながら、特許文献１に記載のインクジェット記録装置では、上記紙粉収集部材に紙粉を付着させて除去しているため、紙粉が効果的に除去されることはない。また、紙粉が上記紙粉収集部材に付着したとしても、付着した紙粉が上記紙粉収集部材から落下し、例えば、記録用紙に付着して上記記録ヘッドまで搬送されて、上記記録ヘッドに付着する恐れがある。
【０００７】
また、インクジェット記録装置では、画像を形成するためのインク滴と共に、微小なインク滴（以下、「ミスト」という。）が上記記録ヘッドから吐出される。更に、インク滴が記録媒体に着弾したときには、記録媒体から跳ね返る跳ね返りミストが発生する。これらのミストが、上記記録ヘッドに付着する恐れがある。
【０００８】
本発明は、上記課題に鑑みてなされたものであり、紙粉及びミストを効果的に除去することの可能なインクジェット記録装置を提供することを目的としている。
【課題を解決するための手段】
【０００９】
本発明のインクジェット記録装置は、記録ヘッド、搬送部、及び、負圧印加部を備える。前記記録ヘッドは、記録媒体上にインクを吐出する。前記搬送部は、前記記録ヘッドによる画像形成位置へ前記記録媒体を搬送する。前記負圧印加部は、前記記録媒体に負圧を印加する。前記搬送部は、前記記録媒体が載置される無端ベルトと、前記無端ベルトを支持する搬送板とを備える。前記搬送板は、複数の貫通孔と、前記貫通孔の前記無端ベルト側に、前記記録媒体の搬送方向に沿って伸びた溝とを備える。少なくとも前記記録ヘッドの下方の前記搬送板には、フィルターが、前記溝内に前記搬送板の厚み方向と垂直な面に対して略平行に配置されている。前記フィルターは、前記インクを遮断すると共に、空気を通過させる。
【発明の効果】
【００１０】
本発明のインクジェット記録装置によれば、紙粉及びミストを効果的に除去することができる。
【図面の簡単な説明】
【００１１】
【図１】本実施形態に係るインクジェット記録装置の構成を示す図である。
【図２】図１に示す画像形成部の構成を示す図である。
【図３】図２に示す搬送ベルト、ガイド部材、及び、負圧印加部の構成を示す切断斜視図である。
【図４】図３に示すガイド部材の構成を示す平面図である。
【図５】図４に示すガイド部材に形成された溝及び貫通孔の構成を示す平面図及び断面図である。（ａ）は、溝及び貫通孔の構成を示す平面図である。（ｂ）は、（ａ）に示す溝及び貫通孔のＡ−Ａ断面図である。
【図６】図２に示す板状部材近傍の構成を示す図である。
【図７】図２に示すガイド部材の構成を示す側面断面図である。（ａ）は、分解図である。（ｂ）は、組み立て図である。
【図８】図２に示すガイド部材の比較例の構成を示す側面断面図である。
【発明を実施するための形態】
【００１２】
以下、本発明の実施形態について、図面（図１〜図８）を参照しながら説明する。なお、図中、同一又は相当部分については同一の参照符号を付して説明を繰り返さない。
【００１３】
まず、図１を参照して、本実施形態に係るインクジェット記録装置１について説明する。図１は、本実施形態に係るインクジェット記録装置１の構成を示す図である。インクジェット記録装置１は、装置筐体１００、装置筐体１００の内部の下方に配置された給紙部２、給紙部２の上方に配置された画像形成部３、画像形成部３の一方側（図１では右側）に配置された用紙搬送部４、及び、画像形成部３の他方側（図１では左側）に配置された用紙排出部５を備える。
【００１４】
給紙部２は、給紙カセット２１、給紙ローラー２２、及び、ガイド板２３を備える。給紙カセット２１は、記録用紙Ｐを収納し、装置筐体１００に着脱自在である。給紙ローラー２２は、給紙カセット２１の一方側端（図１では、右側端）の上方に配置される。ガイド板２３は、給紙ローラー２２と用紙搬送部４との間に配置される。
【００１５】
給紙カセット２１内には、複数枚の記録用紙Ｐが収納される。以下、「記録用紙」は、便宜上、単に「用紙」と記載する。なお、記録用紙Ｐは、「記録媒体」の一例に相当する。給紙ローラー（ピックアップローラー）２２は、用紙Ｐの搬送方向に沿って用紙Ｐを送るローラーであって、給紙カセット２１内の用紙Ｐを最上部から一枚ずつ取り出す。ガイド板２３は、給紙ローラー２２が取り出した用紙Ｐを用紙搬送部４に案内する。
【００１６】
用紙搬送部４は、略Ｃ字形の用紙搬送路４１、用紙搬送路４１の入口側に設けられた第１搬送ローラー対４２、用紙搬送路４１の途中に設けられた第２搬送ローラー対４３、及び、用紙搬送路４１の出口側に設けられたレジストローラー対４４を備える。
【００１７】
第１搬送ローラー対４２は、用紙Ｐの搬送方向に沿って用紙Ｐを送るローラー対（送りローラー対）であって、給紙部２から供給される用紙Ｐを挟んで用紙搬送路４１に送出する。第２搬送ローラー対４３も送りローラー対である。第２搬送ローラー対４３は、第１搬送ローラー対４２が送出した用紙Ｐを挟んでレジストローラー対４４に向けて送出する。
【００１８】
レジストローラー対４４は、第２搬送ローラー対４３によって搬送されてきた用紙Ｐの斜行補正を行う。また、レジストローラー対４４は、用紙Ｐへの画像形成のタイミングと用紙Ｐの搬送タイミングとを同期させるために、用紙Ｐを一時的に停止させた後、用紙Ｐを画像形成タイミングに合わせて画像形成部３に送出する。
【００１９】
画像形成部３は、搬送ベルト３２及び記録ヘッド３４を備え、レジストローラー対４４から供給された用紙Ｐを、搬送ベルト３２によって所定方向（図１では左向き）に搬送すると共に、搬送ベルト３２によって搬送されている用紙Ｐ上に記録ヘッド３４によって画像を形成する。なお、画像形成部３の詳細な構成は、図２を参照して後述する。また、画像形成部３は、記録ヘッド３４に対して、用紙Ｐの搬送方向下流側（図１では、左側）に搬送ガイド３６を備えている。
【００２０】
搬送ガイド３６は、搬送ベルト３２から排出される用紙Ｐを用紙排出部５に案内する。用紙排出部５は、排出ローラー対５１、及び、排出トレイ５２を備える。排出トレイ５２は、装置筐体１００に形成された排出口１１から外部に突出するように装置筐体１００に固定されている。
【００２１】
排出ローラー対５１は、搬送ガイド３６を通過した用紙Ｐを、排出口１１の方向に送出する。排出トレイ５２は、排出ローラー対５１によって送出された用紙Ｐを案内する。排出ローラー対５１によって送出された用紙Ｐは、装置筐体１００の一方側面（図１では左側面）に形成された排出口１１を介して、装置筐体１００の外部に排出される。排出トレイ５２は、排出口１１から排出された用紙Ｐを積層して収納する。
【００２２】
次に、図２を参照して、画像形成部３について説明する。図２は、図１に示す画像形成部３の構成を示す図である。
【００２３】
図２に示すように、画像形成部３は、搬送部３１、負圧印加部３３、記録ヘッド３４、及び、板状部材３５を備える。４種類の記録ヘッド３４ａ、３４ｂ、３４ｃ、及び、３４ｄには、それぞれ、複数のノズル（図示せず）が設けられている。上記複数のノズルからインクが吐出されて、用紙Ｐに文字、図形のような画像が形成される。記録ヘッド３４ａ、３４ｂ、３４ｃ、及び、３４ｄは、略同一の構成を有するため、記録ヘッド３４と総称することもある。
【００２４】
搬送部３１は、所定方向（図２では左向き）に用紙Ｐを搬送するものであって、ベルト速度検知ローラー３１１、吸着ローラー３１２、駆動ローラー３１３、テンションローラー３１４、一対のガイドローラー３１５、及び、搬送ベルト３２を備える。
【００２５】
搬送部３１は、装置筐体１００内において、４種類の記録ヘッド３４（３４ａ、３４ｂ、３４ｃ、及び、３４ｄ）に対向して配置される。搬送ベルト３２は、ベルト速度検知ローラー３１１、駆動ローラー３１３、テンションローラー３１４、及び、一対のガイドローラー３１５に張架されている。搬送ベルト３２は、用紙Ｐの搬送方向（図２では、反時計回り）に駆動されて、用紙Ｐを搬送する。なお、搬送ベルト３２は、「無端ベルト」の一例に相当する。
【００２６】
テンションローラー３１４は、搬送ベルト３２が撓まないように、搬送ベルト３２に張力を与える。
【００２７】
ベルト速度検知ローラー３１１は、負圧印加部３３に対して用紙Ｐの搬送方向の上流側（図２では右側）に配置され、搬送ベルト３２との間の摩擦力によって回転する。ベルト速度検知ローラー３１１は、パルス板（図示せず）を含み、上記パルス板は、ベルト速度検知ローラー３１１と一体になって回転する。上記パルス板の回転速度を測定することによって、搬送ベルト３２の回転速度が検知される。
【００２８】
駆動ローラー３１３は、負圧印加部３３に対して用紙Ｐの搬送方向の下流側（図１では左側）に配置される。好ましくは、駆動ローラー３１３は、ベルト速度検知ローラー３１１と共に、記録ヘッド３４と対向する位置の搬送ベルト３２の平面性を維持するように配置される。
【００２９】
駆動ローラー３１３はモーター（図示せず）によって回転駆動され、図２の反時計回りの方向に搬送ベルト３２を回転させる。
【００３０】
一対のガイドローラー３１５は、負圧印加部３３よりも下方に配置され、負圧印加部３３の下方に空間を形成する。このように配置することによって、負圧印加部３３の下方における搬送ベルト３２と負圧印加部３３との接触を防止することができる。
【００３１】
４種類の記録ヘッド３４（３４ａ、３４ｂ、３４ｃ、及び、３４ｄ）は、用紙Ｐの搬送方向の上流側から下流側に向けて並設される。記録ヘッド３４ａ、３４ｂ、３４ｃ、及び、３４ｄは、それぞれ、搬送ベルト３２の幅方向（図２では、紙面に直交する方向）に配列された複数のノズル（図示せず）を備えている。また、記録ヘッド３４ａ、３４ｂ、３４ｃ、及び、３４ｄは、ライン型と呼ばれる。つまり、インクジェット記録装置１は、ラインヘッド方式のインクジェット記録装置である。
【００３２】
負圧印加部３３は、搬送ベルト３２を介して、用紙Ｐに負圧を印加して、用紙Ｐを搬送ベルト３２に吸着させる。また、負圧印加部３３は、搬送ベルト３２を介して４種類の記録ヘッド３４と対向するように搬送ベルト３２の裏面側（図２では下側）に配置される。負圧印加部３３は、空気流通室３３１、空気流通室３３１の上面開口を覆うガイド部材３３２、負圧発生部３３６、及び、排気口３３７を備える。
【００３３】
吸着ローラー３１２は従動ローラーである。吸着ローラー３１２は、搬送ベルト３２を介して、ガイド部材３３２に対向して配置され、レジストローラー対４４から送出された用紙Ｐを搬送ベルト３２上へ誘導して、搬送ベルト３２に吸着させる。
【００３４】
ガイド部材３３２は、搬送ベルト３２を介して用紙Ｐを支持する。ガイド部材３３２は、「搬送板」の一例に相当する。また、ガイド部材３３２には、貫通孔３３５が形成されている。ガイド部材３３２は、例えば、金属材料から構成される。具体的には、ガイド部材３３２の材料として、アルミダイキャスト、プレス加工板等を使用できる。あるいは、ガイド部材３３２の材料として、搬送ベルト３２との摺動性に優れた樹脂を選択することも可能である。
【００３５】
また、ガイド部材３３２には、フィルター３３８、３３９が挟持されている。フィルター３３８、３３９は、例えば、不織布から構成され、紙粉及びミストを除去する。また、フィルター３３８、３３９は、ガイド部材３３２に着脱自在に配置されている。フィルター３３８は、板状部材３５の下方に配置され、主に紙粉を除去する。フィルター３３９は、記録ヘッド３４の下方に配置され、主にミストを除去する。
【００３６】
本実施形態では、便宜上、負圧印加部３３がガイド部材３３２を備えるとして説明しているが、上述のように、ガイド部材３３２は搬送ベルト３２を支持するため、搬送部３１がガイド部材３３２を備えるとして説明してもよい。
【００３７】
空気流通室３３１は、上面が開口した有底筒状の箱形部材によって形成されている。空気流通室３３１を構成する側壁の上面は、ガイド部材３３２に固定されている。負圧発生部３３６は、空気流通室３３１の下方に配置される。空気の流れについて負圧発生部３３６の下流側（図２では下側）に排気口３３７が配置されている。負圧発生部３３６が駆動することによって、空気流通室３３１内に負圧が発生し、この負圧によって、ガイド部材３３２及び搬送ベルト３２を介して、用紙Ｐが搬送ベルト３２に向けて吸引される。
【００３８】
負圧発生部３３６は、空気流通室３３１内に負圧を発生するものであって、例えば、ファンである。ただし、負圧発生部３３６は、ファンに限定されるものではなく、例えば真空ポンプであってもよい。
【００３９】
板状部材３５は、記録ヘッド３４に対して、用紙Ｐの搬送方向上流側（図２の右側）に配置されている。換言すれば、板状部材３５は、記録ヘッド３４ａと吸着ローラー３１２との間に配置されている。また、板状部材３５は、搬送ベルト３２の上面との間で狭隙空間３５ａを形成する。なお、板状部材３５は、「空間形成部」の一例に相当する。
【００４０】
次に、図１を参照して、インクジェット記録装置１の動作について説明する。給紙ローラー２２は、給紙カセット２１から用紙Ｐを取り出す。取り出された用紙Ｐは、ガイド板２３によって第１搬送ローラー対４２に導かれる。
【００４１】
用紙Ｐは第１搬送ローラー対４２によって用紙搬送路４１内に送出され、第２搬送ローラー対４３によって用紙Ｐの搬送方向に搬送される。そして、用紙Ｐはレジストローラー対４４に当接して停止し、斜行補正が行われる。そして、画像形成タイミングに合わせてレジストローラー対４４によって用紙Ｐが画像形成部３に送出される。
【００４２】
用紙Ｐは吸着ローラー３１２によって搬送ベルト３２上に導かれ、搬送ベルト３２に吸着される。用紙Ｐの幅方向の中心が、搬送ベルト３２の幅方向の中心と一致するように、用紙Ｐが搬送ベルト３２に導かれることが好ましい。用紙Ｐは、搬送ベルト３２に形成された多数の吸引孔３２１（図３参照）の一部を覆う。負圧印加部３３は、ガイド部材３３２、及び、搬送ベルト３２を介して空気を吸引しており、空気流通室３３１には負圧が発生している。これによって、負圧が用紙Ｐに作用して、用紙Ｐが搬送ベルト３２に吸着される。そして、用紙Ｐは、搬送ベルト３２の移動に伴って用紙Ｐの搬送方向に搬送される。
【００４３】
搬送ベルト３２によって、４種類の記録ヘッド３４ａ、３４ｂ、３４ｃ、及び、３４ｄに、それぞれ対向する位置へ用紙Ｐの各部分が連続して搬送される。この間に、４種類の記録ヘッド３４ａ、３４ｂ、３４ｃ、及び３４ｄから、それぞれ、各色のインクが搬送ベルト３２によって搬送されている用紙Ｐへ向けて吐出される。これによって、用紙Ｐに画像が形成される。
【００４４】
用紙Ｐは、搬送ベルト３２から搬送ガイド３６へ搬送される。搬送ガイド３６を通過した用紙Ｐは、排出ローラー対５１によって排出口１１の方向に送出され、排出トレイ５２に案内されて排出口１１を介して装置筐体１００の外部に排出される。
【００４５】
次に、図３を参照して、搬送ベルト３２、ガイド部材３３２、及び、負圧印加部３３の構成について説明する。図３は、図２に示す搬送ベルト３２、ガイド部材３３２、及び、負圧印加部３３の構成を示す切断斜視図である。
【００４６】
図３に示すように、上側から下側に向けて、搬送ベルト３２、ガイド部材３３２、空気流通室３３１、及び、負圧発生部３３６が配置されている。搬送ベルト３２には、多数の吸引孔３２１が形成されている。
【００４７】
ここで、搬送ベルト３２に形成された吸引孔３２１について説明する。図３に示すように、搬送ベルト３２には、多数の吸引孔３２１が略等間隔に形成されている。吸引孔３２１の直径は、例えば２ｍｍであり、隣接する吸引孔３２１との間隔は、例えば８ｍｍである。
【００４８】
また、ガイド部材３３２の上面（搬送ベルト３２側の面）には、複数の溝３３４が形成されている。溝３３４は、用紙Ｐの搬送方向に延びる長円状に形成されている。
【００４９】
次に、図４を参照して、ガイド部材３３２に形成された溝３３４及び貫通孔３３５について説明する。図４は、図３に示すガイド部材３３２の構成を示す平面図である。図４に示すように、ガイド部材３３２には、用紙Ｐの搬送方向（図４では、左右方向）に延びる長円状の溝３３４から成る列が、ガイド部材３３２の幅方向（図４では上下方向）に複数本形成されている。また、溝３３４における、用紙Ｐの搬送方向（図４では、左右方向）の略中央位置には、それぞれ、ガイド部材３３２をその厚さ方向に貫通する貫通孔３３５が形成されている。貫通孔３３５の断面は円形状である。
【００５０】
図４に示す破線は、ガイド部材３３２に投影した板状部材３５の位置を示している。ガイド部材３３２における板状部材３５の投影像に対して、用紙Ｐの搬送方向上流側（図４では左側）、及び、用紙Ｐの搬送方向下流側（図４では右側）にそれぞれ、貫通孔３３５が一列ずつ形成されている。そして、用紙Ｐの搬送方向上流側（図４では左側）に形成された貫通孔３３５に連通する溝３３４は、板状部材３５の投影像における用紙Ｐの搬送方向上流側（図４では左側）端の位置よりも更に用紙Ｐの搬送方向上流側に延びている。同様に、用紙Ｐの搬送方向下流側（図４では右側）に形成された貫通孔３３５に連通する溝３３４は、板状部材３５の投影像における用紙Ｐの搬送方向下流側（図４では右側）端の位置よりも更に用紙Ｐの搬送方向下流側に延びている。
【００５１】
次に、図５を参照して、ガイド部材３３２に形成された溝３３４及び貫通孔３３５について説明する。図５は、図４に示すガイド部材３３２に形成された溝３３４及び貫通孔３３５の構成を示す平面図及び断面図である。図５（ａ）は、溝３３４及び貫通孔３３５の構成を示す平面図であり、図５（ｂ）は、図５（ａ）に示す溝３３４及び貫通孔３３５のＡ−Ａ断面図である。
【００５２】
図５（ａ）に示すように、溝３３４における、用紙Ｐの搬送方向（図５（ａ）では、左右方向）の略中央位置には、ガイド部材３３２をその厚さ方向に貫通する貫通孔３３５が形成されている。図５（ｂ）に示すように、溝３３４は、貫通孔３３５と連通して形成されているため、空気流通室３３１から貫通孔３３５を介して印加される負圧が、溝３３４が形成されている領域にも作用する。また、フィルター３３８、３３９は、溝３３４の上下方向の略中央位置に配置されている。
【００５３】
次に、図６を参照して、板状部材３５近傍の構成について説明する。図６は、図２に示す板状部材３５近傍の構成を示す図である。
【００５４】
狭隙空間３５ａは、狭隙空間３５ａの周囲の空間から狭隙空間３５ａに流入する空気流の速度を、狭隙空間３５ａに流入する前より、狭隙空間３５ａに流入した後の方が大きくするように、搬送ベルト３２の上面に直交する方向の距離ＨＮが設定されている。換言すれば、距離ＨＮは、狭隙空間３５ａの垂直方向の長さ（距離）である。以下の説明においては、狭隙空間３５ａにおける搬送ベルト３２の上面に直交する方向の距離ＨＮを、便宜上、狭隙空間３５ａの垂直方向の長さ（距離）という。
【００５５】
具体的には、板状部材３５の下面は、搬送ベルト３２の上面との間で、上下方向の距離ＨＮが予め設定された閾値距離ＨＳ（例えば、３ｍｍ）以下に設定された狭隙空間３５ａを形成する。また、板状部材３５は、少なくともその下面が接地された導電体（例えば、ステンレスのような金属）である。ガイド部材３３２と接している搬送ベルト３２の上面は、「記録媒体の載置面」の一例に相当する。本実施形態では、狭隙空間３５ａの上下方向の距離ＨＮは、例えば、２ｍｍである。
【００５６】
なお、図６を参照した上記の説明では、用紙Ｐの厚みが狭隙空間３５ａの上下方向の距離ＨＮと比較して充分に薄い場合について説明しているが、用紙Ｐの厚みに応じて狭隙空間３５ａの上下方向の距離ＨＮを変更することが好ましい。具体的には、例えば、用紙Ｐの上面と板状部材３５の下面との間の距離が略一定（例えば、２ｍｍ）となるように、用紙Ｐの厚みに応じて板状部材３５を昇降させることが好ましい。
【００５７】
次に、狭隙空間３５ａ近傍における空気の流れについて説明する。空気流通室３３１は、負圧発生部３３６によって、大気圧に対して負圧状態（例えば、約０．００５気圧≒約５００Ｐａ）になっているため、複数の吸引孔３２１、及び、複数の貫通孔３３５を介して、狭隙空間３５ａから空気流通室３３１に空気が流れ込む。また、狭隙空間３５ａから空気流通室３３１に空気が流入するため、板状部材３５に対して用紙Ｐの搬送方向の上流側（図６では右側）、及び、用紙Ｐの搬送方向の下流側（図６では左側）から狭隙空間３５ａに空気が流入する。
【００５８】
したがって、図６に示す矢印ＦＤ１及び矢印ＦＤ２に沿って空気が流れる。そして、狭隙空間３５ａの上下方向の距離ＨＮは、予め設定された閾値距離ＨＳ以下に設定されているため、狭隙空間３５ａにおける空気の流れる速度（風速）が増大する。狭隙空間３５ａにおける風速は、例えば、６．０ｍ／秒以上であることが好ましい。
【００５９】
上述のように、矢印ＦＤ１で示す風は、狭隙空間３５ａにおいて、用紙Ｐの搬送方向の上流側から下流側に向けて（図６では、左向きに）吹くため、図６に示すように、用紙Ｐの先端（図６では、左端）に付着した紙粉ＰＤを除去して、除去した紙粉ＰＤをフィルター３３８上に回収することができる。また、矢印ＦＤ２で示す風は、狭隙空間３５ａにおいて、用紙Ｐの搬送方向の下流側から上流側に向けて（図６では、右向きに）吹くため、図６に示すように、用紙Ｐの後端（図６では、右端）に付着した紙粉ＰＤを除去して、除去した紙粉ＰＤをフィルター３３８上に回収することができる。したがって、用紙Ｐに付着した紙粉ＰＤを効果的に除去することができる。
【００６０】
また、上述のように、板状部材３５が接地された導電体であるため、板状部材３５が帯電することはない。したがって、紙粉ＰＤが帯電している場合にも、紙粉ＰＤの板状部材３５への付着を抑制することができる。
【００６１】
更に、図４を参照して上述のように、板状部材３５に対向する位置に溝３３４が形成されているため、空気流通室３３１から貫通孔３３５を介して印加される負圧が、溝３３４が形成されている領域にも作用する。したがって、図６に示す矢印ＦＤ１及び矢印ＦＤ２に沿って、空気が更に流れ易くなるため、紙粉ＰＤを更に効果的に除去することができる。
【００６２】
次に、図３を参照して、吸引孔３２１と、溝３３４との位置関係について説明する。用紙Ｐの搬送方向に配置された多数の吸引孔３２１から成る列が搬送ベルト３２の幅方向（用紙Ｐの搬送方向に直交する方向）に複数本形成されており、これらの複数本の列は、吸引孔３２１が千鳥状に配置されるように配列されている。また、図３に示すように、搬送ベルト３２の複数本の吸引孔３２１の列は、それぞれ、複数本の溝３３４の列に対応して配置される。
【００６３】
また、複数の溝３３４は、ぞれぞれ、少なくとも２個の吸引孔３２１と対向するように形成されている。搬送ベルト３２の移動に伴って、複数の溝３３４に、それぞれ、対向する吸引孔３２１が１つずつ入れ替わってゆく。
【００６４】
負圧発生部３３６によって負圧にされる空気流通室３３１は、ガイド部材３３２の貫通孔３３５及び溝３３４を介して、搬送ベルト３２の吸引孔３２１に連通する。
【００６５】
上述のように、搬送ベルト３２の吸引孔３２１に負圧が印加されるため、搬送ベルト３２は、用紙Ｐを吸着して搬送することができる。
【００６６】
次に、図７を参照して、ガイド部材３３２の構成について説明する。図７は、図２に示すガイド部材３３２の構成を示す側面断面図である。図７（ａ）は、分解図である。図７（ｂ）は、組み立て図である。ガイド部材３３２は、第１ガイド部材３３２ａ、第２ガイド部材３３２ｂ、スペーサー３３２ｃ、及び、第３ガイド部材３３２ｄを備えている。
【００６７】
第１ガイド部材３３２ａは、ガイド部材３３２の最下部に配置され、貫通孔３３５が形成された板状部材である。第１ガイド部材３３２ａの上側には、第２ガイド部材３３２ｂが配置される。第２ガイド部材３３２ｂは、第１ガイド部材３３２ａに、例えば、接着剤によって固定される。
【００６８】
第２ガイド部材３３２ｂは、第１ガイド部材３３２ａの上面に載置され、溝３３４が形成された板状部材である。第２ガイド部材３３２ｂの上面端部（図７では左右端部）には、スペーサー３３２ｃが配置されている。
【００６９】
スペーサー３３２ｃは、第２ガイド部材３３２ｂの上面に、例えば、接着剤によって固定される。また、スペーサー３３２ｃは、フィルター３３８（３３９）が挿入されるスペースを形成する帯状部材である。スペーサー３３２ｃは、図７の紙面に直交する方向に延設された帯状部材である。スペーサー３３２ｃの上面には、第３ガイド部材３３２ｄが配置される。
【００７０】
第３ガイド部材３３２ｄは、スペーサー３３２ｃの上面に載置され、溝３３４が形成された板状部材である。第３ガイド部材３３２ｄは、スペーサー３３２ｃの上面に、例えば、接着剤によって固定される。第２ガイド部材３３２ｂの上面と、第３ガイド部材３３２ｄの下面との間には、フィルター３３８（３３９）が着脱自在に配置される。
【００７１】
フィルター３３８（３３９）は、それぞれ、フィルター本体３３８ａ（３３９ａ）及び、枠体３３８ｂ（３３９ｂ）を備えている。枠体３３８ｂ（３３９ｂ）は、フィルター本体３３８ａ（３３９ａ）の外周部に位置し、フィルター本体３３８ａ（３３９ａ）を支持する部材である。枠体３３８ｂ（３３９ｂ）は、例えば、ステンレス、又は、アルミニウムから構成される。フィルター本体３３８ａ（３３９ａ）は、例えば、不織布から構成される。
【００７２】
本実施形態では、フィルター３３８（３３９）が、それぞれ、フィルター本体３３８ａ（３３９ａ）及び、枠体３３８ｂ（３３９ｂ）を備えている場合について説明するが、フィルター３３８（３３９）が、更に、支持板を備える形態でもよい。上記支持板は、枠体３３８ｂ（３３９ｂ）を端部として格子状に形成され、フィルター本体３３８ａ（３３９ａ）を支持する。この場合には、フィルター本体３３８ａ（３３９ａ）を更に確実に支持することができる。
【００７３】
図７（ｂ）に示すように、第１ガイド部材３３２ａ、第２ガイド部材３３２ｂ、スペーサー３３２ｃ、及び、第３ガイド部材３３２ｄが組み立てられた状態で、第２ガイド部材３３２ｂと第３ガイド部材３３２ｄとの間には、スペーサー３３２ｃの高さに相当する隙間が形成される。上記隙間は、「収納空間」の一例に相当する。フィルター３３８（３３９）の枠体３３８ｂ（３３９ｂ）は、スペーサー３３２ｃによって形成された隙間に挿入されて、フィルター３３８（３３９）が装着される。フィルター３３８（３３９）を取り外す場合には、図７（ｂ）の紙面手前側（又は、紙面奥側）から、フィルター３３８（３３９）を引き出すことによって、フィルター３３８（３３９）を取り外すことができる。
【００７４】
また、枠体３３８ｂ（３３９ｂ）は、ステンレス、又は、アルミニウムから構成されるため、第２ガイド部材３３２ｂの上面との摺動抵抗を小さくすることができる。よって、フィルター３３８（３３９）を更に容易に交換することができる。
【００７５】
上述のように、ガイド部材３３２には、フィルター３３８（３３９）が、溝３３４内にガイド部材３３２の厚み方向と垂直な面に対して平行に配置されており、フィルター３３８（３３９）が不織布から構成される。したがって、フィルター３３８（３３９）によって、紙粉及びミストを効果的に除去することができる。
【００７６】
また、フィルター３３８（３３９）は、ガイド部材３３２から取り外し可能に配置されているため、フィルター３３８（３３９）が汚れた場合に、容易に交換することができる。
【００７７】
更に、ガイド部材３３２は、フィルター３３８（３３９）が着脱自在に装着される収納空間を備え、この収納空間は、ガイド部材３３２の厚み方向と垂直な面に対して平行に形成されている。よって、フィルター３３８（３３９）を更に容易に交換することができる。
【００７８】
加えて、上記収納空間は、ガイド部材３３２の幅方向（図７では紙面に垂直な方向）の一方側端面（例えば、手前側）に開口が形成されているため、フィルター３３８（３３９）を更に容易に交換することができる。
【００７９】
また、記録ヘッド３４の下方のガイド部材３３２に配置されたフィルター３３９と、狭隙空間３５ａの下方のガイド部材３３２に配置されたフィルター３３８とは、別々にガイド部材３３２から取り外し可能に配置されている。よって、フィルター３３９及びフィルター３３８の汚れの程度に応じて、適宜、交換することができる。したがって、ユーザー（又は、サービスマン）の利便性を更に向上することができる。
【００８０】
次に、図８を参照して、図２に示すガイド部材３３２の比較例について説明する。図８は、図２に示すガイド部材３３２の比較例の構成を示す側面断面図である。図８に示すように、フィルター３３８（３３９）は、ガイド部材３３２の上面に配置されている。
【００８１】
フィルター３３８（３３９）が、ガイド部材３３２に形成された溝３３４の上面に配置されているため、搬送ベルト３２（図３参照）との間の摺動抵抗が大きくなる。また、フィルター３３８（３３９）の上面を搬送ベルト３２（図３参照）が摺動するため、フィルター３３８（３３９）が摩耗する、又は、毛羽立つというような損傷を受ける恐れがある。
【００８２】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８３】
（１）本実施形態では、画像形成部３において搬送ベルト３２が用紙Ｐを搬送する場合について説明したが、画像形成部３においてその他の方法で用紙Ｐを搬送する形態でもよい。例えば、複数の搬送ローラーによって用紙Ｐを搬送する形態でもよい。この場合には、互いに隣接する搬送ローラーの間から負圧を印加することが好ましい。
【００８４】
（２）本実施形態では、狭隙空間３５ａが板状部材３５によって形成される場合について説明したが、狭隙空間３５ａをその他の方法で形成する形態でもよい。例えば、記録ヘッド３４に対して用紙Ｐの搬送方向上流側において、記録ヘッド３４を支持するヘッドベースが搬送ベルト３２側に突出して形成され、狭隙空間３５ａを形成する形態でもよい。この場合には、構造を簡略化することができる。
【００８５】
また、板状部材３５に換えて、２つのローラーに張架されたベルトによって狭隙空間３５ａを形成する形態でもよい。具体的には、搬送ベルト３２の上面と略平行な位置に配置された駆動ローラー及び従動ローラーと、上記駆動ローラー及び上記従動ローラーに張架された無端ベルトとを備え、上記無端ベルトの下面と、搬送ベルト３２の上面との間で狭隙空間３５ａを形成する。この場合には、上記無端ベルトの下面に紙粉が付着したときに、紙粉が付着していない面が下側に位置するように上記無端ベルトを回転駆動させることができるため、例えば、サービスマンが上記無端ベルトに付着した紙粉を除去する頻度を減少することができる。
【００８６】
（３）本実施形態では、ガイド部材３３２と空気流通室３３１とが別部材である場合について説明したが、ガイド部材３３２と空気流通室３３１とが一体に形成されている形態でもよい。この場合には、空気流通室３３１からの負圧のリーク（ガイド部材３３２と空気流通室３３１との間の隙間からの空気流通室３３１への空気の流入）を防止することができる。
【００８７】
（４）本実施形態では、図７に示すように、フィルター３３８（３３９）が、溝３３４の上下方向の略中央位置に配置されている場合について説明したが、その他の形態でもよい。フィルター３３８（３３９）が、溝３３４の上下方向の上方に配置されている程、フィルター３３８（３３９）による圧損が小さくなる。よって、フィルター３３８（３３９）が、溝３３４の上下方向の上方に配置されていることが好ましい。
【００８８】
（５）本実施形態では、図７に示すように、スペーサー３３２ｃを備える場合について説明したが、第２ガイド部材３３２ｂと第３ガイド部材３３２ｄとがフィルター３３８（３３９）を挟持する形態でもよい。この場合には、ガイド部材３３２の構成が簡略化される。
【産業上の利用可能性】
【００８９】
本発明は、インクジェット記録装置に利用可能である。
【符号の説明】
【００９０】
１    インクジェット記録装置
２    給紙部
３    画像形成部
３１    搬送部
３１２    吸着ローラー
３２    搬送ベルト（無端ベルト）
３２１    吸引孔
３３    負圧印加部
３３１    空気流通室
３３２    ガイド部材（搬送板）
３３２ａ    第１ガイド部材
３３２ｂ    第２ガイド部材
３３２ｃ    スペーサー
３３２ｄ    第３ガイド部材
３３４    溝
３３５（３３５ａ、３３５ｂ）    貫通孔
３３６    負圧発生部
３３８、３３９    フィルター
３３８ａ、３３９ａ    フィルター本体
３３８ｂ、３３９ｂ    枠体
３４（３４ａ、３４ｂ、３４ｃ、３４ｄ）    記録ヘッド
３５、３５ｂ    板状部材（空間形成部）
３５ａ    狭隙空間
３６    搬送ガイド
４    用紙搬送部
５    用紙排出部
【図１】
0006369358.tif 000002
【図２】
0006369358.tif 000003
【図３】
0006369358.tif 000004
【図４】
0006369358.tif 000005
【図５】
0006369358.tif 000006
【図６】
0006369358.tif 000007
【図７】
0006369358.tif 000008
【図８】
0006369358.tif 000009